(57)【特許請求の範囲】
【請求項１】
カメラモジュールと、
端末本体に備えられた回路部と、
一側は前記回路部に固定され、他側は前記カメラモジュールの回転ハウジングに挿入され、前記カメラモジュールと前記回路部を接続するフレキシブルプリント基板とから構成され、
前記フレキシブルプリント基板の他側は、
複数の仮想接地を生成するために、前記回転ハウジングに組み付けられたキャップ上に形成された第１支持突起、第２支持突起にそれぞれ時計方向及び反時計方向に巻かれ、
時計方向及び反時計方向に巻かれる際に、前記第１支持突起、第２支持突起により第１旋回部、第２旋回部を形成することを特徴とする移動通信端末機のカメラ装置。
【請求項２】
前記仮想接地が、前記フレキシブルプリント基板に流れる電流による磁場の相殺状態を示すことを特徴とする請求項１に記載の移動通信端末機のカメラ装置。
【請求項３】
前記支持突起の個数が、前記フレキシブルプリント基板の旋回数と同一であることを特徴とする請求項１に記載の移動通信端末機のカメラ装置。
【請求項４】
前記キャップに、前記フレキシブルプリント基板が旋回する形状と一致する形状の溝が形成されていることを特徴とする請求項１に記載の移動通信端末機のカメラ装置。
【発明の詳細な説明】
【技術分野】
【０００１】
本発明は、移動通信端末機に関し、特に、カメラ用ＦＰＣＢ（Ｆｌｅｘｉｂｌｅ  Ｐｒｉｎｔｅｄ  Ｃｉｒｃｕｉｔｓ  Ｂｏａｒｄ）の設置構造及びその設置方法に関する。
【背景技術】
【０００２】
一般に、移動通信端末機（以下、端末機ともいう）は、音声通信用に使用され始めたが、その機能領域が次第に多様化して、インターネット、マルチメディアなどの画像サービスを提供できるように開発されている。また、このような端末機には、所望の被写体を撮影して画像ファイルとして保存できる多様なタイプのカメラが備えられる。前記端末機に備えられるカメラは、被写体の位置によって回転するように構成された回転型カメラであって、前記カメラにより撮影された画像信号は、ＦＰＣＢを介して端末機本体の回路に送られる。
【０００３】
ＦＰＣＢが短い場合、受信感度が低下し、カメラの最大の回転角度が小さいため、主に長いＦＰＣＢが使用される。
【０００４】
しかし、長いＦＰＣＢを回転ハウジングのキャップに形成された貫通孔の外周面に２回以上巻いて使用した場合、後述する偶モード（Ｅｖｅｎ−Ｍｏｄｅ）状態で動作してノイズが大きくなるという問題があった。
【０００５】
さらに、前述のように２回以上巻かれて形成される前記ＦＰＣＢの巻き構造は、スパイラルアンテナの構造と類似しているが、このような構造においては、カメラの動作時、比較的高い周波数のクロックにより発生したノイズがメインアンテナに伝わるため、画像感度が低下するという問題があった。
【０００６】
一方、前述した回転型カメラは、ＦＰＣＢを一方向にのみ巻いた偶モードを採択するため、ノイズ放射が増加し、放射帯域幅も増加して、特定の周波数に対するノイズの種類を増加させるという問題があった。
【発明の開示】
【発明が解決しようとする課題】
【０００７】
本発明は、このような従来技術の問題を解決するためになされたもので、カメラ装置に備えられるＦＰＣＢをノイズの影響が低減できる方法で巻いて、ビデオ通話の送受信感度を高める、移動通信端末機のカメラ装置を提供することを目的とする。
【課題を解決するための手段】
【０００８】
上記目的を達成するために、本発明による移動通信端末機のカメラ装置は、カメラモジュールと、端末機本体に備えられた回路部と、前記カメラモジュールと前記回路部との間に接続され、仮想接地が形成されるように少なくとも一回以上異なる方向に巻かれたＦＰＣＢとを含むことを特徴とする。
【０００９】
また、上記目的を達成するために、本発明による移動通信端末機は、カメラレンズと、前記カメラレンズから入力された画像を回路部に送り、仮想接地が形成されるように少なくとも一回以上異なる方向に巻かれたＦＰＣＢと、前記ＦＰＣＢに接続されるカメラモジュールと、前記カメラモジュールが挿入されて前記カメラモジュールと一体に回転する回転ハウジングと、前記カメラモジュールに連結され、前記回転ハウジングの開口を密閉し、支持突起が形成されているキャップとを含むことを特徴とする。
【００１０】
上記目的を達成するために、本発明は、例えば、以下の手段を提供する。
【００１１】
（項目１）
カメラモジュールと、
端末機本体に備えられた回路部と、
上記カメラモジュールと上記回路部との間に接続され、仮想接地が形成されるように少なくとも一回以上異なる方向に巻かれたフレキシブルプリント基板と、
を含むことを特徴とする移動通信端末機のカメラ装置。
【００１２】
（項目２）
上記仮想接地が、上記フレキシブルプリント基板に流れる電流による磁場の相殺状態を示すことを特徴とする項目１に記載の移動通信端末機のカメラ装置。
【００１３】
（項目３）
上記フレキシブルプリント基板が巻かれるキャップをさらに含むことを特徴とする項目１に記載の移動通信端末機のカメラ装置。
【００１４】
（項目４）
上記キャップに、上記フレキシブルプリント基板の旋回を支持するための支持突起が形成されていることを特徴とする項目３に記載の移動通信端末機のカメラ装置。
【００１５】
（項目５）
上記支持突起の個数が、上記フレキシブルプリント基板の旋回数と同一であることを特徴とする項目４に記載の移動通信端末機のカメラ装置。
【００１６】
（項目６）
上記キャップに、上記フレキシブルプリント基板が旋回する形状と一致する形状の溝が形成されていることを特徴とする項目３に記載の移動通信端末機のカメラ装置。
【００１７】
（項目７）
上記フレキシブルプリント基板が、上記溝に挿入されて上記回路部に接続されることを特徴とする項目６に記載の移動通信端末機のカメラ装置。
【００１８】
（項目８）
カメラレンズと、
上記カメラレンズから入力された画像を回路部に送り、仮想接地が形成されるように少なくとも一回以上異なる方向に巻かれたフレキシブルプリント基板と、
上記フレキシブルプリント基板に接続されるカメラモジュールと、
上記カメラモジュールが挿入されて上記カメラモジュールと一体に回転する回転ハウジングと、
上記カメラモジュールに連結され、上記回転ハウジングの開口を密閉し、支持突起が形成されているキャップと、
を含むことを特徴とする移動通信端末機。
【発明の効果】
【００１９】
本発明は、端末機にビデオ通話用として回転型カメラを１つだけ適用した場合、ＦＰＣＢの長さ及び周波数を考慮して、ＦＰＣＢの第１旋回部、第２旋回部、連続線形部が磁場を相殺する形状に形成されることにより、ノイズ放射を低減することはもちろん、受信感度を向上させ、さらに、カメラのＦＰＣＢによる電磁波などのノイズ放射がメインアンテナに誘起される量を画期的に減らすため、既存のカメラが適用された端末機のビデオ通話感度に比べて５ｄＢ以上の改善効果が得られる。
【発明を実施するための最良の形態】
【００２０】
以下、添付した図面を参照して本発明の好ましい実施形態を説明する。
【００２１】
本発明の説明において、関連の公知機能又は構成に関する具体的な説明が本発明の要旨を不明確にすると判断された場合、その詳細な説明は省略する。
【００２２】
本発明の基本概念は、ＦＰＣＢをノイズの影響が低減できる方法で旋回させて、ビデオ通話の受信感度を向上させることにある。
【００２３】
図１は本発明による回転型カメラが備えられた移動通信端末機の斜視図である。
【００２４】
図１に示すように、本発明による移動通信端末機は、ビデオ通話が可能な本体部１０と、本体部１０に相対回動可能に結合される蓋部２０と、本体部１０に回転可能に設置され、被写体の位置によって回転するように構成された回転型カメラであって、被写体に焦点を合わせるために凸レンズからなるカメラレンズ３１を含むカメラ３０とから構成される。
【００２５】
本体部１０は、内部に端末機の通信制御などのための回路部が備えられる本体部ケーシング１１と、本体部ケーシング１１の背面に着脱可能に形成されて充放電されるバッテリ１２とから構成される。
【００２６】
また、蓋部２０は、多様な情報を表示するメイン液晶画面（図示せず）を囲むように形成された蓋部ケーシング２１と、蓋部ケーシング２１の前面中央部に配設されて基本的な端末機情報を表示するサブ液晶画面２２と、蓋部ケーシング２１の内部に装着されたスピーカからの音波を伝達するように、蓋部ケーシング２１の前面下端部に形成された音波伝達孔２３とから構成される。
【００２７】
図２は本発明の一実施形態による移動通信端末機の回転型カメラの分解斜視図である。
【００２８】
図２に示すように、カメラ３０は、被写体の位置によって回転するように構成された回転型カメラであって、被写体に焦点を合わせるために凸レンズからなるカメラレンズ３１と、被写体の像を撮影するためのカメラモジュール３２と、カメラモジュール３２と端末機の回路部（図示せず）とを接続して信号を転送できるように形成されたＦＰＣＢ３３と、カメラモジュール３２が内部に挿入されて装着される回転ハウジング３４と、回転ハウジング３４の開口３４ｄが密閉されるように組み付けられるキャップ３６と、キャップ３６の回転軸３４ｃが挿入されて回転ハウジング３４の回転を支持し、回転軸孔３５ａが形成されたハウジング支持体３５とから構成される。
【００２９】
また、カメラモジュール３２は、カメラレンズ３１を囲むように形成されたレンズフレーム３２ａと、レンズフレーム３２ａの両側面に形成され、カメラモジュール３２を回転ハウジング３４内でぶれないように固定するための突起部３２ｂとを含む。
【００３０】
また、ＦＰＣＢ３３は、外力の作用による切断や折曲に対する耐久性を補完するために、比較的長く形成してキャップ３６の貫通孔３６ｂの外周面３６ａに２回以上巻いて設置する。
【００３１】
ここで、ＦＰＣＢ３３は、一端がカメラモジュール３２の一側面に接続されて固定され、他端３３ａは前記端末機の回路部に接続されて、前記回路部からカメラモジュール３２に電流を送るための線路の役割を果たす。
【００３２】
回転ハウジング３４は、カメラモジュール３２を挿入できるように一側面が開口３４ｄとなっている円筒状に形成され、ユーザがカメラ３０を容易に回転させることができるように、横方向に長く形成されたつまみ用溝３４ａが所定の間隔をおいて外周面に形成され、カメラレンズ用孔３４ｂが形成されている。
【００３３】
また、ハウジング支持体３５は、回転ハウジング３４の一側を固定する回転軸孔３５ａと、回転ハウジング３４の回転範囲を制限するように回転軸孔３５ａの内周面の一側に突設された止め突起部３５ｂと、カメラ３０を本体部１０に組み付けるときに使用するために形成された位置案内突起３５ｃとから構成される。
【００３４】
また、キャップ３６は、回転軸３４ｃと、回転軸３４ｃの一面に形成された貫通孔３６ｂと、貫通孔３６ｂの外周面３６ａと、回転軸３４ｃの外面から突出し、ＦＰＣＢ３３を巻くための支持突起の役割を果たす第１支持突起３７ａ及び第２支持突起３７ｂとから構成されるが、第１支持突起３７ａ及び第２支持突起３７ｂの代わりに、ＦＰＣＢ３３が旋回する形状と一致する形状の溝（図示せず）を形成してもよい。
【００３５】
図３は本発明の一実施形態による回転型カメラに設置されるＦＰＣＢを示す図であり、図４はカメラ用ＦＰＣＢの旋回形状を概略的に示す図である。
【００３６】
図３及び図４に示すように、ＦＰＣＢ３３は、キャップ３６の貫通孔３６ｂから引き出され、第２支持突起３７ｂを反時計方向に巻き、第１支持突起３７ａを時計方向に巻く。このように、ＦＰＣＢ３３は、貫通孔３６ｂの外周面３６ａに２回巻かれた後に本体部１０の回路部に接続される。
【００３７】
ＦＰＣＢ３３は、巻かれる形状によって、第１旋回部５２と、第２旋回部５４と、連続線形部５７とからなる。第１旋回部５２は、回転ハウジング３４に組み付けられたキャップ３６から突出した、貫通孔３６ｂの周辺にある第２支持突起３７ｂをＦＰＣＢ３３が巻いて反時計方向に旋回することにより形成される。これにより、第１旋回部５２は、第１信号線Ｌ１と第２信号線Ｌ２とに流れる電流が磁場を相殺する方向に流れるため、第１信号線Ｌ１と第２信号線Ｌ２との中間には、電位差がゼロになって第１仮想接地５１が形成される。第２旋回部５４は、第１旋回部５２に連続し、第２支持突起３７ａをＦＰＣＢ３３が巻いて時計方向に旋回することにより形成される。これにより、第２旋回部５４は、第３信号線Ｌ３と第１旋回部５２から第２旋回部５４に変わる地点に該当する第４信号線Ｌ４とに流れる電流が磁場を相殺する方向に流れるため、第３信号線Ｌ３と第４信号線Ｌ４との中間には、電位差がゼロになって第２仮想接地５３が形成される。また、連続線形部５７は、第２旋回部５４に連続し、ハウジング支持体３５に沿って線形に配置されて第１旋回部５２に近接している。連続線形部５７は、連続線形部５７の第５信号線Ｌ５と第１旋回部５２の第６信号線Ｌ６とに流れる電流が磁場を相殺する方向に流れるため、第５信号線Ｌ５と第６信号線Ｌ６との中間には、電位差がゼロになって第３仮想接地５５が形成される。
【００３８】
第１旋回部５２は、左旋回して形成され、第２旋回部５４は、右旋回して形成されて、第１、第２、第３仮想接地５１、５３、５５を基準に、左側の信号線Ｌ１、Ｌ３、Ｌ５と右側の信号線Ｌ２、Ｌ４、Ｌ６とに流れる電流がそれぞれ反対になっており、磁場を相殺するために電流が磁場を順方向に流れるようにする奇モード（Ｏｄｄ−Ｍｏｄｅ）が実現される。
【００３９】
従って、ＦＰＣＢ設置構造５０においては、第１旋回部５２、第２旋回部５４、連続線形部５７に流れる電流が磁場を相殺する方向に流れるようになっているため、左右側の信号線を流れる電流が第１旋回部５２、第２旋回部５４、連続線形部５７で電位差を発生させると共に、左右側の信号線に発生した磁場（ループ：Ｒ）を相殺する。
【００４０】
ＦＰＣＢ３３は、一端がカメラモジュールに接続され、他端はキャップ３６の貫通孔３６ｂから引き出されてノイズ放射を低減できる形状に巻かれて配置される。すなわち、ＦＰＣＢ設置構造５０においては、長いＦＰＣＢ３３を貫通孔３６ｂの周辺に第１、第２、第３仮想接地５１、５３、５５が形成されるように巻く。
【００４１】
このような本発明の構造の作用を説明すると、ビデオ通話をしようとビデオ通話用端末機の蓋部２０を開いた場合、回転ハウジング３４のつまみ用溝３４ａを回転させて、外側を向いていたカメラレンズ３１を内側に向けて通話者に向けるようにし、通話者の姿を相手に見せる。
【００４２】
従って、カメラ３０は、回転ハウジング３４の回転によって、カメラレンズ３１が外側又は内側を向くようにするために、カメラモジュールに長いＦＰＣＢ３３を接続して使用する。
【００４３】
図５はカメラ用ＦＰＣＢの設置方法を示すフローチャートである。
【００４４】
以下、図４及び図５を参照して本発明の一実施形態によるＦＰＣＢの設置方法を説明する。
【００４５】
本発明の一実施形態によるＦＰＣＢ３３は、貫通孔３６ｂを基準に第２支持突起３７ｂを巻いて第１旋回部５２を楕円状に形成する（Ｓ１０）。これにより、第１旋回部５２の左側の第１信号線Ｌ１と右側の第２信号線Ｌ２とに電流が反対に流れて奇モードになり、これらの中間には電位差がゼロになって第１仮想接地５１が形成される。
【００４６】
次に、第１旋回部５２の楕円状を維持し、第１支持突起３７ａを巻いて第２旋回部５４を形成する（Ｓ２０）。これにより、第２旋回部５４の左側の第３信号線Ｌ３と右側の第４信号線Ｌ４とに電流が反対に流れて奇モードになり、これらの中間には電位差がゼロになって第２仮想接地５３が形成される。
【００４７】
次に、第２旋回部５４を形成したＦＰＣＢ３３の残りは、ハウジング支持体３５の一側に沿って線形に配置されて連続線形部５７を形成し（Ｓ３０）、本体部１０内の回路部に接続される。連続線形部５７の第５信号線Ｌ５と第１旋回部５２の第６信号線Ｌ６とに電流が反対に流れて、これらの中間には電位差がゼロになって第３仮想接地５５が形成される。
【００４８】
つまり、ＦＰＣＢ３３が充分な長さでカメラモジュール３２に接続されて設置されるため、ビデオ通話時、外側又は内側への回転が安定して行われ、第１旋回部５２、第２旋回部５４、連続線形部５７は、反対に流れる電流により、それぞれ第１、第２、第３仮想接地５１、５３、５５を発生させる。このように、第１旋回部５２、第２旋回部５４、連続線形部５７が磁場を相殺する形状に形成されることにより、ノイズ放射を低減し、ビデオ通話の受信感度を向上させる。
【００４９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００５０】
カメラのＦＰＣＢによる電磁波などのノイズ放射がメインアンテナに誘起される量を画期的に減らしてビデオ通話感度を向上させる移動通信端末機のカメラ装置を提供する。
【００５１】
移動通信端末機は、カメラレンズと、カメラレンズから入力された画像を回路部に送り、仮想接地が形成されるように少なくとも一回以上異なる方向に巻かれたＦＰＣＢと、ＦＰＣＢに接続されるカメラモジュールと、カメラモジュールが挿入されてカメラモジュールと一体に回転する回転ハウジングと、カメラモジュールに連結され、回転ハウジングの開口を密閉し、支持突起が形成されているキャップとを含む。
【図面の簡単な説明】
【００５２】
【図１】本発明による回転型カメラが備えられた移動通信端末機の斜視図である。
【図２】本発明の一実施形態による移動通信端末機の回転型カメラの分解斜視図である。
【図３】本発明の一実施形態による回転型カメラに設置されるＦＰＣＢを示す図である。
【図４】カメラ用ＦＰＣＢの旋回形状を概略的に示す図である。
【図５】カメラ用ＦＰＣＢの設置方法を示すフローチャートである。
【符号の説明】
【００５３】
３０  カメラ
３１  カメラレンズ
３２  カメラモジュール
３３  ＦＰＣＢ
３４  回転ハウジング
３４ｃ  回転軸
３５  ハウジング支持体
３６  キャップ
３７ａ  第１支持突起
３７ｂ  第２支持突起
５２  第１旋回部
５４  第２旋回部
Ｌ１  第１信号線
Ｌ２  第２信号線
Ｌ３  第３信号線
Ｌ４  第４信号線
Ｌ５  第５信号線
Ｌ６  第６信号線
【図１】
0004749957.tif 000002
【図２】
0004749957.tif 000003
【図３】
0004749957.tif 000004
【図４】
0004749957.tif 000005
【図５】
0004749957.tif 000006